(57)【要約】【課題】映像のシーンに応じて画質を自動的に変更して表示できる表示装置を提供する。【解決手段】本発明に係るテレビジョン受像機１０は、映像の画質を調整し、調整された映像を表示部１１１に表示させる画質調整部１１２と、映像の信号の統計値と、画質調整部１１２が画質を調整するための設定値との対応情報を予め記憶する記憶部１１３と、表示部１１１が表示すべき映像の信号から統計値を取得する統計値取得部１１４と、統計値取得部１１４が取得した統計値に対応する設定値を、記憶部１１３の対応情報から取得し、取得した設定値で画質を調整するように画質調整部１１２に指示する調整指示部１１５とを備える。【選択図】図１
2011166315.tif 000002
【特許請求の範囲】
【請求項１】
映像を表示する表示部を備える表示装置であって、
上記映像の画質を調整し、調整された映像を上記表示部に表示させる画質調整部と、
上記映像の信号の統計値と、上記画質調整部が上記画質を調整するための設定値との対応情報を予め記憶する記憶部と、
上記表示部が表示すべき映像の信号から上記統計値を取得する統計値取得手段と、
上記統計値取得手段が取得した統計値に対応する上記設定値を、上記記憶部の対応情報から取得し、取得した設定値で上記画質を調整するように上記画質調整部に指示する調整指示手段とを備えることを特徴とする表示装置。
【請求項２】
ユーザからの指示を受け付ける受付部と、
上記対応情報を上記記憶部に登録する登録手段とをさらに備えており、
該登録手段は、上記ユーザからの指示に基づく設定値で上記画質を調整するように上記画質調整部に指示し、上記ユーザからの指示に基づき、上記設定値を決定し、決定した設定値と、上記統計値取得手段が取得した統計値との対応情報を上記記憶部に記憶することを特徴とする請求項１に記載の表示装置。
【請求項３】
上記登録手段は、上記統計値取得手段が取得対象とした映像の縮小画像を、上記対応情報に対応付けて上記記憶部に記憶することを特徴とする請求項２に記載の表示装置。
【請求項４】
上記登録手段は、上記ユーザからの指示に基づき選択された対応情報および縮小画像を上記記憶部から読み出し、読み出した縮小画像を、読み出した対応情報の設定値で上記画質を調整するように上記画質調整部に指示することを特徴とする請求項２又は３に記載の表示装置。
【請求項５】
上記記憶部は、上記対応情報を、上記映像のジャンルごとに記憶しており、
上記表示部が表示すべき映像の上記ジャンルの情報を取得するジャンル取得手段をさらに備えており、
上記調整指示手段は、上記ジャンル取得手段が取得したジャンルと、上記統計値取得手段が取得した統計値とに対応する上記設定値を、上記記憶部の対応情報から取得し、取得した設定値で上記画質を調整するように上記画質調整部に指示することを特徴とする請求項１から４のいずれか１項に記載の表示装置。
【請求項６】
上記統計値は、閾値以下である上記映像の輝度信号の累積度数であることを特徴とする請求項１から５のいずれか１項に記載の表示装置。
【請求項７】
映像を表示する表示部と、該映像の画質を調整し、調整された映像を上記表示部に表示させる画質調整部とを備える表示装置の制御方法であって、
上記表示部が表示すべき映像の信号の統計値を取得する統計値取得ステップと、
上記映像の信号の統計値と、上記画質調整部が上記画質を調整するための設定値との対応情報が記憶された記憶部を参照して、上記統計値取得ステップにて取得された統計値に対応する上記設定値を取得し、取得した設定値で上記画質を調整するように画質調整部に指示する調整指示ステップとを含むことを特徴とする表示装置の制御方法。
【請求項８】
請求項１から６のいずれか１項に記載の表示装置が備えているコンピュータを動作させるプログラムであって、上記コンピュータを上記の各手段として機能させるためのプログラム。
【請求項９】
請求項８に記載のプログラムを記録したコンピュータ読み取り可能な記録媒体。
【発明の詳細な説明】
【技術分野】
【０００１】
本発明は、映像のシーンに応じて画質を自動的に変更して表示する表示装置、表示装置の制御方法、プログラム及びプログラムが記録されたコンピュータ読み取り可能な記録媒体に関する。
【背景技術】
【０００２】
表示装置において、良好な画質を実現するためにコンテンツ又は使用環境に応じて画質設定を変更する技術が提案されている。番組の再生時にユーザの好み等に応じて、画質を補正する技術として例えば特許文献１〜３が報告されている。
【０００３】
特許文献１には、画質パラメータの異なる複数のサンプル画像を提示して、ユーザに所望のサンプル画像を選択させることにより、画質パラメータを決定する画質表示装置が記載されている。
【０００４】
特許文献２には、画質が異なるサンプル動画像をユーザに選択させて画質を決定するテレビジョン受像機が記載されている。
【０００５】
特許文献３には、現在テレビ放送されている番組に対するトピック及びテーマ情報のような特性を判定し、オーディオ及びビデオ設定値のようなデータを、記憶ユニットに格納されている予め定義された最適受像機特性の表に適合させるシステムが記載されている。
【先行技術文献】
【特許文献】
【０００６】
【特許文献１】特開２００７−１４７８２８号公報（２００７年６月１４日公開）
【特許文献２】特開２００１−１１９６４４号公報（２００１年４月２７日公開）
【特許文献３】特開２００１−５１５６７５号公報（２００１年９月１８日公開）
【発明の概要】
【発明が解決しようとする課題】
【０００７】
ところで、ユーザの画質への好みは視聴する番組のジャンル等で異なる場合が多く、さらにはジャンル内においてもシーン毎に好みの画質が異なる場合がある。例えば、スポーツ番組を視聴している場合、野球のシーンよりもサッカーのシーンの方が色の濃い表示を好む場合がある。特許文献１〜３の技術では、視聴する番組のシーン毎にユーザの好みに応じて画質を調整するものではない。
【０００８】
本発明は、上記の問題点に鑑みてなされたものであり、その目的は、映像のシーンに応じて画質を自動的に変更して表示できる表示装置を提供することにある。
【課題を解決するための手段】
【０００９】
本発明に係る表示装置は、上記課題を解決するために、
映像を表示する表示部を備える表示装置であって、
上記映像の画質を調整し、調整された映像を上記表示部に表示させる画質調整部と、
上記映像の信号の統計値と、上記画質調整部が上記画質を調整するための設定値との対応情報を予め記憶する記憶部と、
上記表示部が表示すべき映像の信号から上記統計値を取得する統計値取得手段と、
上記統計値取得手段が取得した統計値に対応する上記設定値を、上記記憶部の対応情報から取得し、取得した設定値で上記画質を調整するように上記画質調整部に指示する調整指示手段とを備えることを特徴としている。
【００１０】
本発明に係る表示装置の制御方法は、上記課題を解決するために、
映像を表示する表示部と、該映像の画質を調整し、調整された映像を上記表示部に表示させる画質調整部とを備える表示装置の制御方法であって、
上記表示部が表示すべき映像の信号の統計値を取得する統計値取得ステップと、
上記映像の信号の統計値と、上記画質調整部が上記画質を調整するための設定値との対応情報が記憶された記憶部を参照して、上記統計値取得ステップにて取得された統計値に対応する上記設定値を取得し、取得した設定値で上記画質を調整するように画質調整部に指示する調整指示ステップとを含むことを特徴としている。
【００１１】
ところで、例えば、スポーツ番組において、水泳のシーンでは、水の映像部分が多いため、青色の割合が多く、全体の輝度値が比較的低い。また、サッカーのシーンでは、芝生の映像部分が多いため、緑色の割合が多く、全体の輝度値が比較的高い。また、マラソンのシーンでは、日中の公道の映像部分が多いため、灰色の割合が多く、全体の輝度値が真ん中付近である。このことから、映像のシーンは、輝度信号、色信号、ＲＧＢ信号など、映像の各種信号の統計値によって異なることが予想される。
【００１２】
そこで、本発明の上記の構成によれば、表示部に映像を表示するとき、表示すべき映像の信号から、当該映像の信号の統計値を取得し、取得した統計値に対応する設定値によって画質が調整された映像が表示される。これにより、映像のシーンに応じて画質を自動的に変更して表示することができる。
【００１３】
なお、映像の信号の統計値としては、例えば、映像の輝度信号の平均値を統計した値などが挙げられる。
【００１４】
また、対応情報における設定値は、１つであってもよいし、複数であってもよい。また、当該設定値は、例えばユーザにより設定された値であってもよい。例えば、映像の画質を調整するとき、ユーザによって設定された設定値で画質を調整することが可能であれば、ユーザの好みに適した画質に調整された映像を表示することができる。
【００１５】
また、本発明に係る表示装置では、
ユーザからの指示を受け付ける受付部と、
上記対応情報を上記記憶部に登録する登録手段とをさらに備えており、
該登録手段は、上記ユーザからの指示に基づく設定値で上記画質を調整するように上記画質調整部に指示し、上記ユーザからの指示に基づき、上記設定値を決定し、決定した設定値と、上記統計値取得手段が取得した統計値との対応情報を上記記憶部に記憶することが好ましい。
【００１６】
例えば、スポーツ番組において、ユーザは水泳のシーンでは人の肌の映像が表示される頻度が高いため、肌がより鮮やかな色で表示されるように調整したい場合がある。そこで、本発明の上記の構成によれば、ユーザは、映像が所望の画質に調整されるように指示を与え得るので、好みの画質に調整された映像を見ることができる。
【００１７】
また、ユーザからの指示を受け付けたとき、登録手段は当該指示に基づき設定値を決定し、決定した設定値と統計値との対応情報を記憶部に記憶する。つまり、記憶部には、ユーザの好みに調整した設定値が、調整した際の映像の信号の統計値との対応情報として記憶される。これにより、新たに映像を表示する場合に、その都度ユーザが調整しなくとも、自動的にユーザの好みに応じた画質に調整された映像を表示することができる。
【００１８】
また、本発明に係る表示装置では、
上記登録手段は、上記統計値取得手段が取得対象とした映像の縮小画像を、上記対応情報に対応付けて上記記憶部に記憶することが好ましい。
【００１９】
上記の構成によれば、統計値取得手段が取得対象とした映像の縮小画像が対応情報に対応付けて記憶されているので、表示部に取得対象とした映像を表示する際、複数の映像が記憶されているのであれば、縮小画像を一覧表示することができる。すなわち、ユーザが統計値取得手段により取得対象とされた映像を確認する際、１つずつではなく、縮小画像を一覧表示させて確認することができるので、ユーザの利便性を向上させることができる。
【００２０】
また、本発明に係る表示装置では、
上記登録手段は、上記ユーザからの指示に基づき選択された対応情報および縮小画像を上記記憶部から読み出し、読み出した縮小画像を、読み出した対応情報の設定値で上記画質を調整するように上記画質調整部に指示することが好ましい。
【００２１】
上記の構成によれば、ユーザが表示装置に対して統計値取得手段が取得対象とした映像の画質を調整する指示を入力したとき、表示部には当該映像の縮小画像が表示されるので、ユーザは所望の画像を即座に見つけることができる。
【００２２】
また、登録手段は、ユーザにより選択された縮小画像の画質を選択された対応情報の設定値で調整するように画質調整部に指示するので、過去に調整された映像の画質を編集することができる。
【００２３】
また、本発明に係る表示装置では、
上記記憶部は、上記対応情報を、上記映像のジャンルごとに記憶しており、
上記表示部が表示すべき映像の上記ジャンルの情報を取得するジャンル取得手段をさらに備えており、
上記調整指示手段は、上記ジャンル取得手段が取得したジャンルと、上記統計値取得手段が取得した統計値とに対応する上記設定値を、上記記憶部の対応情報から取得し、取得した設定値で上記画質を調整するように上記画質調整部に指示することが好ましい。
【００２４】
上記の構成によれば、調整指示手段が画質調整部に画質の調整を指示する際、映像のジャンルごとに記憶された対応情報から取得した設定値で調整されるよう指示する。これにより、ジャンル毎にユーザの好みに対応した画質によって映像を表示することができる。
【００２５】
また、本発明に係る表示装置では、上記統計値は、閾値以下である上記映像の輝度信号の累積度数であることが好ましい。例えば、暗いシーンの映像の画質を調整する場合、当該映像の輝度信号の累積度数に対応する設定値で画質を調整することにより、暗いシーンでも階調つぶれのない映像を表示することができる。
【００２６】
なお、上記表示装置は、コンピュータによって実現してもよい。この場合、コンピュータを上記各手段として動作させることにより上記表示装置をコンピュータにおいて実現するプログラム、及びそのプログラムを記録したコンピュータ読み取り可能な記録媒体も、本発明の範疇に入る。
【発明の効果】
【００２７】
本発明に係る表示装置は、以上のように、映像を表示する表示部を備える表示装置であって、上記映像の画質を調整し、調整された映像を上記表示部に表示させる画質調整部と、上記映像の信号の統計値と、上記画質調整部が上記画質を調整するための設定値との対応情報を予め記憶する記憶部と、上記表示部が表示すべき映像の信号から上記統計値を取得する統計値取得手段と、上記統計値取得手段が取得した統計値に対応する上記設定値を、上記記憶部の対応情報から取得し、取得した設定値で上記画質を調整するように上記画質調整部に指示する調整指示手段とを備えるので、映像のシーンに応じて画質を自動的に変更して表示できる。
【図面の簡単な説明】
【００２８】
【図１】本発明に係る表示装置の一実施形態の要部構成を示すブロック図である。
【図２】本発明に係る表示装置の一実施形態の全体構成を示すブロック図である。
【図３】本発明に係る表示装置の一実施形態における画質調整の処理の流れを示すフローチャートである。
【図４】本発明の一実施形態を示すものであり、図４の（ａ）は、スポーツ番組に関連付けられた画質の初期値を示す図であり、図４の（ｂ），（ｃ）は、画質の設定値と統計値との関係を示すグラフである。
【図５】本発明の一実施形態を示すものであり、図５の（ａ）は、「水泳」のシーンの映像を表示する際の画質の設定値を示す図であり、図５の（ｂ），（ｃ）は、画質の設定値と統計値との関係を示すグラフである。
【図６】本発明の一実施形態を示すものであり、図６の（ａ）は、「サッカー」のシーンの映像を表示する際の画質の設定値を示す図であり、図６の（ｂ），（ｃ）は、画質の設定値と統計値との関係を示すグラフである。
【図７】本発明の一実施形態を示すものであり、図７の（ａ）は、「マラソン」のシーンの映像を表示する際の画質の設定値を示す図であり、図７の（ｂ），（ｃ）は、画質の設定値と統計値との関係を示すグラフである。
【図８】本発明の一実施形態を示すものであり、図８の（ａ）は、「野球」のシーンの映像を表示する際の画質の設定値を示す図であり、図８の（ｂ），（ｃ）は、画質の設定値と統計値との関係を示すグラフである。
【図９】本発明に係る表示装置の一実施形態において、統計値の一例としてヒストグラムを用いたところを示す図である。
【図１０】本発明に係る表示装置の一実施形態における自動画質調整の流れを示すフローチャートである。
【図１１】本発明に係る表示装置の一実施形態において、記憶部に記録された対応情報の一例を示す図である。
【図１２】ジャンル毎に好みの画質を選択する画面の表示例を示す図である。
【図１３】図１２に示す画面において選択された、ジャンル毎の画質の設定値を示す図である。
【図１４】本発明に係る表示装置の一実施形態における再編集機能の処理の流れを示すフローチャートである。
【図１５】本発明に係る表示装置の一実施形態において、ユーザが画質を再編集する際の画面の表示例を示す図である。
【発明を実施するための形態】
【００２９】
本発明に係る表示装置の一実施形態について、図１〜１５を参照して以下に説明する。なお、以下の説明では本発明を実施するために好ましい種々の限定が付与さえているが、本発明の技術的範囲は以下の実施の形態及び図面の記載に限定されるものではない。
【００３０】
（テレビジョン受像機１０の概要）
まず、図２を用いて、本発明に係る表示装置を備えたテレビジョン受像機の構成の概要を説明する。図２は、テレビジョン受像機１０の構成を模式的に示すブロック図である。
【００３１】
図２において、テレビジョン受像機１０（表示装置）は、例えば、画面サイズ１６：９（１９２０×１０１０ドット）のディスプレイ２２（表示部）を備えている。テレビジョン受像機１０は、バス８に接続されたＣＰＵ６及びメモリ７を備えており、テレビジョン受像機１０の動作は、ＣＰＵ６及びメモリ７に記録された各種の制御プログラムにより制御される。すなわち、本実施形態のテレビジョン受像機１０は、ＣＰＵ６を含むコンピュータ・システムによって制御されており、テレビジョン受像機１０をコンピュータによって動作させるためのプログラムはメモリ７に記録されている。
【００３２】
テレビジョン受像機１０はデジタルチューナー部１４及びアナログチューナー部１２を備えており、デジタル放送及びアナログ放送のいずれも受信可能である。また、外部入力部３１には、ＨＤＤ又はＳＤカードなどの固体メモリ、ＢＤ（ブルーレイディスク）、ＤＶＤ又はＣＤなどのディスク装置、及び種々の外部機器３０が接続可能であり、テレビジョン受像機１０の本体内にもＢＤ／ＤＶＤ／ＣＤの記録／再生部３２が内蔵されている。また、ＩＰ放送チューナー部２３を備えており、ＩＰ放送の受信も可能である。
【００３３】
テレビジョン受像機１０は、この他、ＡＶスイッチ部１３、デジタル復調部１５、分離部（ＤＭＵＸ）１６、ビデオデコード／キャプチャ部１７、ビデオセレクタ部１８、映像処理部１９（映像処理手段）、加算回路２０、表示制御部２１、ディスプレイ２２（表示部）、ＥＰＧ／ＯＳＤ／予約処理部２４、オーディオデコード部２５、オーディオセレクタ部２６、音声出力変換部２７、スピーカ２８、選局部３３、通信制御部３４、リモコン受光部３５及びＯＰＣセンサ３８を備えている。
【００３４】
（テレビジョン受像機１０の要部構成）
続いて、テレビジョン受像機１０の要部構成について、図１を参照して説明する。図１は、テレビジョン受像機１０の要部構成を示すブロック図である。
【００３５】
図１において、画質制御部１００はテレビジョン受像機１０に備えられ、表示部１１１に表示させる映像の画質を調整する。画質制御部１００は、画質調整部１１２、記憶部１１３、統計値取得部１１４（統計値取得手段）、調整指示部１１５（調整指示手段）、登録部１１６（登録手段）及びジャンル取得部１１７（ジャンル取得手段）を含む。
【００３６】
画質制御部１００は、表示部１１１に表示させる映像の画質を補正する。具体的には、表示部１１１が表示すべき映像の信号から当該信号の統計値を取得し、当該統計値と対応付けられた、画質を調整するための設定値で画質を調整し、調整された映像が表示部１１１に表示される。
【００３７】
ところで、例えば、スポーツ番組において、水泳のシーンでは、水の映像部分が多いため、青色の割合が多く、全体の輝度値が比較的低い。また、サッカーのシーンでは、芝生の映像部分が多いため、緑色の割合が多く、全体の輝度値が比較的高い。また、マラソンのシーンでは、日中の公道の映像部分が多いため、灰色の割合が多く、全体の輝度値が真ん中付近である。このことから、映像のシーンは、輝度信号、色信号、ＲＧＢ信号など、映像の各種信号の統計値によって異なることが予想される。
【００３８】
そこで、本発明の上記の構成によれば、表示部１１１に映像を表示するとき、表示すべき映像の信号から、当該映像の信号の統計値を取得し、取得した統計値に対応する設定値によって画質が調整された映像が表示される。これにより、映像のシーンに応じて画質を自動的に変更して表示することができる。
【００３９】
なお、映像の信号の統計値としては、例えば、映像の輝度信号の平均値を統計した値などが挙げられる。また、統計値は、閾値以下である映像の輝度信号の累積度数であってもよい。例えば、暗いシーンの映像の画質を調整する場合、当該映像の輝度信号の累積度数に対応する設定値で画質を調整することにより、暗いシーンでも階調つぶれのない映像を表示することができる。また、設定値としては、例えば、「ホワイトレベル」、「カラー（色の濃さ）」、「ブラックレベル」、「ティント（色合い）」、「バックライト」などの各種画質設定用のパラメータの値が含まれる。
【００４０】
画質調整部１１２は、通信部１１８から受信した映像の画質を調整し、調整された映像を表示部１１１に出力する。このとき、画質調整部１１２は、調整指示部１１５から指示された設定値で画質を調整する。なお、画質調整部１１２が映像の画質を調整する際、例えば、当該映像からあるシーンの静止画を取得し、この静止画を利用して調整してもよい。画質調整部１１２による画質調整の詳細は後述する。また、通信部１１８は、上述のデジタルチューナー部１４、アナログチューナー部１２又はＩＰ放送チューナー部２３など映像を受信する各種のブロックを含む。
【００４１】
記憶部１１３（メモリともいう）は、映像の信号の統計値と、画質調整部１１２が画質を調整するための設定値との対応情報を記憶する。具体的には、統計値取得部１１４が取得した統計値と設定値とを対応付けて、対応情報として記憶している。なお、記憶部１１３が記憶する設定値は１つであってもよいし、複数であってもよい。また、設定値は、ユーザにより設定された値であってもよい。例えば、映像の画質を調整するとき、ユーザによって設定された設定値で画質を調整することが可能であれば、ユーザの好みに適した画質に調整された映像を表示することができる。
【００４２】
統計値取得部１１４は、表示部１１１が表示すべき映像の信号から統計値を取得し、記憶部１１３に送る。
【００４３】
調整指示部１１５は、統計値取得部１１４が取得した統計値に対応する設定値を、記憶部１１３の対応情報から取得し、取得した設定値で画質を調整するように画質調整部１１２に指示する。
【００４４】
登録部１１６は、対応情報を記憶部１１３に登録する。具体的には、登録部１１６は、まず、リモコン受光部１１９（受付部）において受け付けたユーザからの指示に基づく設定値で画質を調整するように画質調整部１１２に指示し、ユーザからの指示に基づき、設定値を決定する。そして、決定した設定値と、統計値取得部１１４が取得した統計値との対応情報を記憶部１１３に記憶する。
【００４５】
なお、登録部１１６は、統計値取得部１１４が取得対象とした映像の縮小画像を、対応情報に対応付けて記憶部１１３に記憶することが好ましい。これにより、表示部１１１に取得対象とした映像を表示する際、複数の映像が記憶されているのであれば、縮小画像を一覧表示することができる。すなわち、ユーザが統計値取得部１１４により取得対象とされた映像を確認する際、１つずつではなく、縮小画像を一覧表示させて確認することができるので、ユーザの利便性を向上させることができる。
【００４６】
また、登録部１１６は、ユーザからの指示に基づき選択された対応情報および縮小画像を記憶部１１３から読み出し、読み出した縮小画像を、読み出した対応情報の設定値で画質を調整するように画質調整部１１２に指示することが好ましい。これにより、ユーザがテレビジョン受像機１０に対して統計値取得部１１４が取得対象とした映像の画質を調整する指示を入力したとき、表示部１１１には当該映像の縮小画像が表示されるので、ユーザは所望の画像を即座に見つけることができる。さらに、登録部１１６は、ユーザにより選択された縮小画像の画質を選択された対応情報の設定値で調整するように画質調整部１１２に指示するので、過去に調整された映像の画質を編集することができる。
【００４７】
ジャンル取得部１１７は、表示部１１１が表示すべき映像のジャンルの情報を取得する。具体的には、ジャンル取得部１１７は、映像を受信した通信部１１８から、その映像のジャンルの情報を判別して取得する。
【００４８】
例えば、デジタル放送においては、ジャンル情報が大分類、中分類と分類されて関連付けられている。大分類としては、例えば、「ニュース／報道」、「情報／ワイドショー」、「バラエティ」、「映画」、「スポーツ」等がある。中分類としては、例えば大分類が「ニュース／報道」の場合は「定時・総合」、「ローカル／地域」、「天気」等がある。一般に一つの放送番組には、複数の大分類のジャンル情報が関連付けられている。例えば、スポーツニュースの場合は「ニュース／報道」、「スポーツ」の大分類のジャンル情報が関連付けられており、さらに、これらに属する中分類のジャンル情報がいくつか関連付けられている。ジャンル取得部１１７は、通信部１１８が、これらのジャンルが関連付けられた映像を受信したときに、当該映像に関連付けられたジャンルの情報を取得する。ここで、取得するジャンルの情報は、当該映像に関連付けられたジャンルの情報の一部でもよいし全部でもよい。また、ジャンル取得部１１７は、後述するように映像のフレーム周波数等から、例えば、フィルム由来であるか否か等を判断することもできる。
【００４９】
なお、本実施形態ではテレビジョン受像機１０が受信する映像がデジタル放送である場合について説明するが、アナログ放送でも同様の処理が可能である。つまり、アナログ放送の場合は、音声解析及び画像解析等を行なって番組の種類を表すキーワードをジャンル情報として抽出することによって、ジャンル情報を取得することが可能である。
【００５０】
また、記憶部１１３は対応情報を映像のジャンルごとに記憶し、調整指示部１１５は、ジャンル取得部１１７が取得したジャンルと、統計値取得部１１４が取得した統計値とに対応する設定値を記憶部１１３の対応情報から取得し、取得した設定値で画質を調整するように画質調整部１１２に指示することが好ましい。これにより、調整指示部１１５が画質調整部１１２に画質の調整を指示する際、映像のジャンルごとに記憶された対応情報から取得した設定値で調整されるよう指示する。これにより、ジャンル毎にユーザの好みに対応した画質によって映像を表示することができる。
【００５１】
なお、表示部１１１は、図１に示すようにテレビジョン受像機１０に内蔵されている、例えば液晶表示パネルなどのディスプレイ２２であってもよいし、表示装置とは別体のものであってもよい。例えば、外付けのディスプレイを表示部１１１として利用するデスクトップコンピュータなども本発明の技術的範疇に含まれる。
【００５２】
（テレビジョン受像機１０の詳細）
次に、テレビジョン受像機１０が備える各ブロックの機能について、それぞれ以下に説明する。
【００５３】
ＣＰＵ６は、上述したように、テレビジョン受像機１０の各種動作を制御する。
【００５４】
メモリ７は、ＣＰＵ６を動作させるためのＯＳ又は各種の制御ソフトなどを記録し、放送波を介して受信した電子番組表（ＥＰＧ；Electronic Program Guide）データ等の番組情報に関するデータ、及びＯＳＤ（オン・スクリーン・ディスプレイ）表示する際に必要となるＯＳＤ用の画像データなどを記録している。メモリ７は、通常、ＲＡＭによって構成されるが、一部にＲＯＭを含んでいてもよく、各種制御動作に必要なワークメモリとして働くワーク領域を有している。
【００５５】
アナログチューナー部１２は、アナログ放送受信用のアンテナ１１を介して受信するアナログテレビ放送信号を選局するもので、選局部３３からの選局指示に応じて選局を行なう。アナログチューナー部１２からの受信信号は、ＡＶスイッチ部１３において、音声信号と映像信号とに分離され、映像信号はビデオセレクタ部１８に入力され、音声信号はオーディオセレクタ部２６に入力される。
【００５６】
デジタルチューナー部１４は、デジタル放送受信用アンテナ４０を介して受信するデジタルテレビ放送信号を選局するもので、選局部３３からの選局指示に応じて受信するチャンネルの選局を行なう。デジタルチューナー部１４からの受信信号は、デジタル復調部１５にて復調され、分離部（ＤＭＵＸ）１６に送られる。
【００５７】
ＩＰ放送チューナー部２３は、電話回線・ＬＡＮ等に接続された通信制御部３４を介して受信するＩＰ放送を選局するもので、選局部３３からの選局指示に応じて受信する特定のＩＰ放送を選局し、出力を分離部（ＤＭＵＸ）１６に送る。
【００５８】
分離部（ＤＭＵＸ）１６は、デジタル復調部１５又はＩＰ放送チューナー部２３から入力された、多重化された映像データ、音声データを分離し、映像データをビデオデコード／キャプチャ部１７に送り、音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送る。なお、分離部（ＤＭＵＸ）１６によって抽出された放送波信号は、必要に応じてＣＰＵ６による書き込み制御によりメモリ７に記録される。
【００５９】
ビデオデコード／キャプチャ部１７は、分離部（ＤＭＵＸ）１６によって分離された映像データをデコードしたり、映像データに含まれるビデオ情報を静止画としてキャプチャしたりする。上記ビデオデコード／キャプチャ部１７によってデコードされた映像信号は、ビデオセレクタ部１８に送られる。ビデオセレクタ部１８には、上述したとおり、アナログチューナー部１２からの映像信号が入力されており、また、外部入力部３１からの映像信号も入力されている。ビデオセレクタ部１８は、ＣＰＵ６からの制御信号により、これらの入力映像信号から１つの映像信号を選んで出力し、映像処理部１９に送る。
【００６０】
映像処理部１９は、入力された映像信号に対して、例えば、ノイズリダクションの処理、シャープネスの調整、コントラストの調整等の映像処理を行ない、ディスプレイ２２に対して最適な映像信号となるように映像データを変換する。
【００６１】
表示制御部２１は、受信した映像データをディスプレイ２２に表示させるための駆動回路を含む部分であり、加算回路２０によって加算された、ＥＰＧ／ＯＳＤ／予約処理部２４からの電子番組表データ、或いは、ＯＳＤデータを、映像処理部１９からの映像データに加えてディスプレイ２２に送る。ディスプレイ２２では、送られてきた映像データを画面上に表示する。
【００６２】
ＥＰＧ／ＯＳＤ／予約処理部２４は、定期的に更新保存されたＥＰＧデータに基づき電子番組表を作成し、また、メモリ７に予め保存されているＯＳＤデータを描画する。ＯＳＤデータとは、例えば、予めメモリ７に記憶された設定メニュー画面、音量ケージ、現在時刻、選局チャンネルなどの各種情報を描画するためのデータである。また、ＥＰＧ／ＯＳＤ／予約処理部２４は、電子番組表を利用して番組の予約処理等を行なう。
【００６３】
オーディオデコード部２５は、分離部（ＤＭＵＸ）１６によって分離された音声データをデコードする。オーディオデコード部２５は、デコードした音声信号をオーディオセレクタ部２６に送る。
【００６４】
オーディオセレクタ部２６では、ＡＶスイッチ部１３からの音声信号、外部入力部３１からの音声信号、及び、オーディオデコード部２５からの音声信号を受け、ＣＰＵ６からの制御によってビデオセレクタ部１８で選択された映像信号に対応した音声信号を選択し、音声出力変換部２７を介して音声信号をスピーカ２８に送る。音声出力変換部２７は、受信した音声信号をスピーカ２８での再生に最適な信号に変換してスピーカ２８に供給する。
【００６５】
通信制御部３４は、電話回線、ＬＡＮ、インターネットなどのネットワーク網を介して通信を確立させるように制御を行なう。
【００６６】
リモコン受光部３５は、リモートコントローラ３６（以下リモコン３６という）からの光信号を受信して、リモコン３６からの制御信号を受け付ける。ユーザからの各種指示は、このリモコン３６を介して行なわれる。
【００６７】
ＯＰＣセンサ３８は、周囲の明るさを検出するためのセンサである。ＯＰＣセンサ３８は、ローパスフィルタを含む照度センサであることがより好ましい。これにより、例えば人がセンサの前を通過するなどの一時的な変化を緩和して、照度を平滑に取得することができる。
【００６８】
（画質調整の流れ）
続いて、本実施形態に係るテレビジョン受像機１０における画質調整の詳細について、図１に示す構成に基づき以下に説明する。図３は、テレビジョン受像機１０における画質調整の処理の流れを示すフローチャートである。なお、以下に示す実施形態では、ユーザがスポーツ番組を視聴中にあるシーンの映像の画質を設定し、当該設定に基づいて画質調整する例について説明するが、本発明はこれに限定されるものではなく、予め設定値が統計値と対応付けて記憶部１１３に記憶されていてもよい。
【００６９】
まず、ユーザが表示部１１１に表示された映像を視聴中にリモコン３６又はテレビジョン受像機１０に設けられた所定のボタンを押下すると、テレビジョン受像機１０は画質を調整するためのメニュー画面を表示する（ステップＳ１）。なお、メニュー画面は例えば表示部１１１上の一部に表示されればよく、視聴中の映像の少なくとも一部が確認できる状態であることが好ましい。ここで、ユーザがあるシーンの画質を調整するためにリモコン３６に設けられた所定のボタン（例えば、決定キー）を押下すると（ステップＳ２）、当該あるシーンの静止画がキャプチャされる（ステップＳ３）。これにより、ユーザによる画質調整を受け付け可能な状態となる。
【００７０】
この状態において、リモコン受光部１１９がユーザによる指示を受け付けると、登録部１１６が当該指示に基づく設定値で画質を調整するように画質調整部１１２に指示し、画質調整部１１２は当該指示に基づいて画質を調整する（ステップＳ４）。ここで、ユーザによる設定値の指示は、例えば、表示部１１１に画質のパラメータを調整するための調整バーを表示させて、ユーザがリモコン３６を介して各パラメータを調整する指示を送り、調整された値を設定値として受け付ければよい。
【００７１】
ところで、上述したように、記憶部１１３が対応情報を映像のジャンルごとに記憶している場合、表示中の映像は、図４に示すように、「スポーツ」のジャンルと統計値取得部１１４が取得した当該映像の統計値とに対応する設定値に画質が調整されている。図４は、本発明の一実施形態を示すものであり、図４の（ａ）は、スポーツ番組に関連付けられた画質の初期値を示す図であり、図４の（ｂ），（ｃ）は、画質の設定値と統計値との関係を示すグラフである。なお、映像の信号の統計値としては平均輝度が用いられている。
【００７２】
ここで、例えば、ユーザから「水泳」のシーンの映像において「カラー」のパラメータを調整する指示を受け付けたとき、当該指示に基づき決定した設定値を図５に示す。図５は、本発明の一実施形態を示すものであり、図５の（ａ）は、「水泳」のシーンの映像を表示する際の画質の設定値を示す図であり、図５の（ｂ），（ｃ）は、画質の設定値と統計値との関係を示すグラフである。
【００７３】
図５の（ａ）に示すように、平均輝度４２％である「水泳」のシーンの設定値は、「カラー」のパラメータの値が「＋１０」から「＋１２」に変更されている。この場合の平均輝度（統計値）と「カラー」（設定値）との対応関係は、図５の（ｃ）に示すように、Ｘ＝４２とＹ＝１２との交点がプロットされ、当該交点を通るような折れ線になる。これにより、人の肌が表示される場面の多い「水泳」のシーンの画質が、人の肌の色がより鮮やかに表示されるように調整される。
【００７４】
その後、ユーザがリモコン３６に設けられた所定のボタン（例えば、終了キー）を押下し、調整が終了したことを示す制御信号をリモコン受光部１１９が受信すると、登録部１１６は、表示部１１１に「設定値を保存するか否か」をユーザに尋ねる画面を表示して、設定値を保存するか否かについて指示を受け付ける（ステップＳ５）。
【００７５】
ここで、設定値を保存するとの指示を受け付けた場合（ステップＳ５においてＹｅｓ）、当該設定値と、統計値取得部１１４によって取得された当該映像の信号の統計値との対応情報を記憶部（メモリ）１１３に保存し（ステップＳ６）、映像の視聴画面に戻る（ステップＳ７）。
【００７６】
このとき、登録部１１６は、統計値取得部１１４が取得対象とした映像の縮小画像を、上記対応情報に対応付けて記憶部１１３に記憶することが好ましい。これにより、表示部１１１に取得対象とした映像を表示する際、複数の映像が記憶されているのであれば、縮小画像を一覧表示することができる。一方、設定値を保存しないとの指示を受け付けた場合（ステップＳ５においてＮｏ）、当該設定値を保存せずに、映像の視聴画面に戻る（ステップＳ７）。
【００７７】
視聴画面に戻ると、画質調整部１１２は自動画質調整を行なう（ステップＳ８）。つまり、受信した映像の信号の統計値を統計値取得部１１４が取得し、この統計値（例えば、「水泳」のシーンにおいて取得した平均輝度）に対応する設定値が記憶部１１３の対応情報にあれば、画質調整部１１２は調整指示部１１５の指示に基づき、当該設定値で画質を調整する。これにより、映像のシーンに応じて画質を自動的に変更して表示することができる。
【００７８】
なお、記憶部１１３に記憶される設定値は１つであってもよいし、複数であってもよい。すなわち、上述のユーザによる画質の設定処理は、複数回行なわれてもよい。
【００７９】
例えば、ユーザから「サッカー」のシーンの映像において、「ホワイトレベル」及び「カラー」のパラメータを調整する指示を受け付けたとき、当該指示に基づき決定した値を図６に示す。図６は、本発明の一実施形態を示すものであり、図６の（ａ）は、「サッカー」のシーンの映像を表示する際の画質の設定値を示す図であり、図６の（ｂ），（ｃ）は、画質の設定値と統計値との関係を示すグラフである。
【００８０】
図６の（ａ）に示すように、平均輝度７４％である「サッカー」のシーンの設定値は、「ホワイトレベル」のパラメータの値が「＋２８」に変更され、「カラー」のパラメータの値が「＋１４」に変更されている。この場合の平均輝度（統計値）と「ホワイトレベル」（設定値）との対応関係は、図６の（ｂ）に示すように、Ｘ＝７４とＹ＝３０との交点がプロットされ、当該交点を通るような折れ線になる。また、平均輝度（統計値）と「カラー」（設定値）との対応関係は、図６の（ｃ）に示すようにＸ＝７４とＹ＝１４との交点がプロットされ、折れ線の数がさらに増える。
【００８１】
また、今度はユーザから「マラソン」のシーンの映像において、「ホワイトレベル」及び「カラー」のパラメータを調整する指示を受け付けたとき、当該指示に基づき決定した値を図７に示す。図７は、本発明の一実施形態を示すものであり、図７の（ａ）は、「マラソン」のシーンの映像を表示する際の画質の設定値を示す図であり、図７の（ｂ），（ｃ）は、画質の設定値と統計値との関係を示すグラフである。
【００８２】
図７の（ａ）に示すように、平均輝度５３％である「マラソン」のシーンの設定値は、「ホワイトレベル」のパラメータの値が「＋３１」に変更され、「カラー」のパラメータの値が「＋１１」に変更されている。この場合の平均輝度（統計値）と「ホワイトレベル」（設定値）との対応関係は、図７の（ｂ）に示すように、Ｘ＝５３とＹ＝３１との交点がプロットされ、当該交点を通るような折れ線になる。また、平均輝度（統計値）と「カラー」（設定値）との対応関係は、図７の（ｃ）に示すようにＸ＝５３とＹ＝１１との交点がプロットされ、折れ線の数がさらに増える。
【００８３】
さらに、ユーザから「野球」のシーンの映像において、「ホワイトレベル」及び「カラー」のパラメータを調整する指示を受け付けたとき、当該指示に基づき決定した値を図８に示す。図８は、本発明の一実施形態を示すものであり、図８の（ａ）は、「野球」のシーンの映像を表示する際の画質の設定値を示す図であり、図８の（ｂ），（ｃ）は、画質の設定値と統計値との関係を示すグラフである。
【００８４】
図８の（ａ）に示すように、平均輝度３６％である「野球」のシーンの設定値は、「ホワイトレベル」のパラメータの値が「＋３２」に変更され、「カラー」のパラメータの値が「＋９」に変更されている。この場合の平均輝度（統計値）と「ホワイトレベル」（設定値）との対応関係は、図８の（ｂ）に示すように、Ｘ＝３６とＹ＝３２との交点がプロットされ、当該交点を通るような折れ線になる。また、平均輝度（統計値）と「カラー」（設定値）との対応関係は、図８の（ｃ）に示すようにＸ＝３６とＹ＝９との交点がプロットされ、折れ線の数がさらに増える。
【００８５】
これらの設定値を記憶部１１３に記憶させることにより、映像の様々なシーンに応じて画質を自動的に変更して表示できる。
【００８６】
なお、上記の画質調整では、映像に関連づけられたジャンルが「スポーツ」である場合を例に説明したが、これに限定されるものではなく、例えば、「ビデオ」、「フィルム」などの様々なジャンルにおいても同様にシーンに応じた画質の調整を行なうことができる。調整される画質のパラメータも「ホワイトレベル」又は「カラー」に限定されるものではない。また、取得される統計値も平均輝度に限定されるものではなく、閾値以下である映像の輝度信号の累積度数であってもよい。
【００８７】
例えば、図９に示すように、まず、明るさを示すＹ値とピクセル数との関係をグラフ化し、各Ｙ値におけるピクセル数から累積度数（ヒストグラム）を求める。次に、Ｙ値６４／２５５をスレッシュとし、６４以下である映像の輝度信号の累積度数と設定値との対応情報を記憶部１１３に記憶させてもよい。図９は、テレビジョン受像機１０の一実施形態において、統計値の一例としてヒストグラムを用いたところを示す図である。例えば、ユーザからあるシーンの「ブラックレベル」のパラメータを調整する指示を受け付けたとき、当該シーンの統計値、すなわち６４以下である映像の輝度信号の累積度数を取得し、当該累積度数に対応する設定値で映像の画質を調整すればよい。これにより、例えば、暗いシーンの映像の画質を調整する場合、当該映像の輝度信号の累積度数に対応する設定値で画質を調整することにより、暗いシーンでも階調つぶれのない映像を表示することができる。
【００８８】
（自動画質調整の詳細）
ここで、上述のステップＳ８において説明した自動画質調整について、図１０を参照してさらに説明する。図１０は、テレビジョン受像機１０の一実施形態における自動画質調整の流れを示すフローチャートである。
【００８９】
まず、デジタルチューナー部１４又はＨＤＭＩなどの外部入力部３１等の各種通信部１１８において受信された受信信号に対して復調等の処理が行なわれ（ステップＳ１０，１１）、映像信号が選別される（ステップＳ１２）。統計値取得部１１４は、選別された映像信号から、平均輝度（ＡＰＬ）又は輝度信号の累積度数などの統計値を取得する（ステップＳ１３）。
【００９０】
次に、調整指示部１１５が、統計値取得部１１４が取得した統計値に対応する設定値を、記憶部１１３の対応情報から取得する（ステップＳ１４）。ここで、対応情報としては、例えば図１１に示すように、ＡＰＬ（平均輝度）の値と「カラー」（設定値）の値とが対応付けて記憶された調整用のテーブルを含む。図１１は、テレビジョン受像機１０の一実施形態において、記憶部１１３に記録された対応情報の一例を示す図である。なお、記憶部１１３には、対応情報の他にも、統計値取得部１１４が取得対象とした映像の縮小画像を対応情報に対応付けて記憶していてもよい。
【００９１】
そして、調整指示部１１５は、記憶部１１３から取得した設定値で画質を調整するように画質調整部１１２に指示する。画質調整部１１２は、この指示に基づいて映像の画質を調整する（ステップＳ１５）。なお、テレビジョン受像機１０では、映像の輝度信号に基づく画質調整の他にも、ＲＧＢ信号など、映像の各種信号に基づいて画質を補正し得る（ステップＳ１６）。その後、例えば、電子番組表データ又はＯＳＤデータなどの各種データを映像に加えて表示されるように制御し（ステップＳ１７）、表示部１１１に表示する（ステップＳ１８）。
【００９２】
これにより、映像のシーンに応じて画質を自動的に変更して表示することができる。
なお、以上の自動画質調整は、例えば１フレーム毎に行なってもよいがこれに限定されるものではない。
【００９３】
（ジャンルに応じた画質調整）
上述したように、テレビジョン受像機１０では、映像のジャンルの情報を取得するジャンル取得部１１７を備えており、映像をジャンルに応じた画質に調整して表示することができる。つまり、記憶部１１３に予めジャンルごとに対応情報を記憶させておくことにより、統計値取得部１１４が映像の信号の統計値を取得したとき、ジャンルと統計値とに対応する設定値で画質を調整することができる。
【００９４】
ところで、ジャンルごとに対応情報を設定する方法としては、特に限定されるものではないが、例えば、様々な画質に調整されたサンプル画像を作成して、表示部１１１にサンプル画像を表示させ、ユーザにより複数のサンプル画像の中から１つの画像を選択する選択指示を受け付けることにより、設定値を決定すればよい。
【００９５】
例えば、図１２に示すように、「スポーツ」、「ビデオ」、「フィルム」というジャンル毎に異なる設定値に画質が調整された３枚のサンプル画像を表示し、ユーザに選択させる。図１２は、ジャンル毎に好みの画質を選択する画面の表示例を示す図である。
【００９６】
ここで、「スポーツ」とは、スポーツのジャンル情報が関連付けられている映像のジャンルである。「ビデオ」とは、６０Ｈｚの通常放送に由来する映像のジャンルである。「フィルム」とは、フィルム由来であることを示し、２４Ｈｚで撮影された映像を３：２プルダウン処理した映像のジャンルである。これらはいずれもジャンル取得部１１７によって判別される。
【００９７】
サンプル画像は、それぞれ異なる画質に調整されている。例えば、「スポーツ」のジャンルのサンプル画像はパターン１〜パターン３までの処理がされており、パターン１のサンプル画像は自然な色合いの画質になっており、パターン２のサンプル画像はスポーツを視聴する際に適した画質になっており、パターン３は色、隔離強調、ガンマが調整されて鮮やかな画質になっている（図１２の（ａ））。このように３つのパターンで処理された３枚のサンプル画像がジャンル毎に表示され、ユーザはジャンル毎にいずれのパターンが好みかを選択する。その結果選択されたパターンの設定値の一例を図１３に示す。図１３は、図１２に示す画面において好みの画質を選択したときの、ジャンル毎の画質情報を示す図である。これにより、よりユーザにとって快適な映像を表示させることができる。このように設定されたジャンルと対応情報とを対応付けて記憶部１１３に記憶させる。
【００９８】
なお、ジャンル毎に画質の設定値を決定する方法は上記の例に限定されるものではなく、上述のシーン毎に画質の設定値を調整する方法と同様に、ユーザがジャンル毎に自ら調整するパラメータを選択し、任意の値に調整されるように設定してもよい。
【００９９】
（再編集機能の詳細）
本実施形態のテレビジョン受像機１０では、あるシーンの画質を調整した後、当該あるシーンの画質を再度ユーザの好みに応じて調整することができる。テレビジョン受像機１０における再編集機能について、図１４を参照して以下に説明する。図１４は、本発明に係るテレビジョン受像機１０の一実施形態における再編集機能の処理の流れを示すフローチャートである。
【０１００】
まず、ユーザから映像の再編集要求を受け付けると、表示部１１１に画質を調整するためのメニュー画面を表示させる（ステップＳ２０）。ここで、メニュー画面の中から、例えば画質の再編集を受け付ける項目（ここでは、「お好み画質学習機能」という項目）の選択指示を受け付けると（ステップＳ２１）、図１５の（ａ）に示すように、表示部１１１に再編集画面２００を表示させる。図１５は、テレビジョン受像機１０の一実施形態において、ユーザによりさらに画質が調整される際の画面の表示例を示す図である。
【０１０１】
なお、図１５の（ａ）において、領域２０１には「スポーツ」のジャンルが選択されていることが表示されており、「スポーツ」のジャンルにおいて過去に調整された複数の異なるシーンが縮小画像として一覧表示されている。すなわち、映像はサムネイル画像として表示されている。これら縮小画像の中から、例えばユーザからシーン４の画像２０２の選択指示を受け付けると（ステップＳ２２）、図１５の（ｂ）に示す画面２０３を表示する。
【０１０２】
図１５の（ｂ）では、領域２０４に選択されたシーンが表示され、当該シーンを縮小した画像２０５が表示される。また、領域２０６には当該シーンのシーン情報（統計値）が表示され、領域２０７には当該画像２０５の画質の設定値が表示される。ここで、ユーザから、例えば、「カラー」の設定値を調整するように指示を受け付けると、画面２０５上では「カラー」にカーソルが合わせられる（領域２０８）（ステップＳ２３）。
【０１０３】
続いて、シーン４の映像の「カラー」を調整するか否かをユーザに尋ねる画面を表示し（ステップＳ２４）、再編集するとの指示を受け付けた場合（ステップＳ２４においてＹｅｓ）、登録部１１６は調整された設定値を統計値と対応づけて記憶部１１３に記憶する（ステップＳ２５）。一方、再編集しないとの指示を受け付けた場合（ステップＳ２４においてＮｏ）、選択されたシーン４を再編集せずに、ステップＳ２３に戻る。その後、映像の視聴画面に戻り（ステップＳ２６）、変更された設定値で自動画質調整が行なわれる（ステップＳ２７）。
【０１０４】
このように、ユーザがテレビジョン受像機１０に対して統計値取得部１１４が取得対象とした映像の画質を調整する指示を入力したとき、表示部１１１には当該映像の縮小画像が表示されるので、ユーザは所望の画像を即座に見つけることができる。
【０１０５】
また、登録部１１６は、ユーザにより選択された縮小画像の画質を選択された対応情報の設定値で調整するように画質調整部１１２に指示するので、過去に調整された映像の画質を編集することができる。
【０１０６】
（プログラム及び記録媒体）
最後に、テレビジョン受像機１０に含まれている各部は、ハードウェアロジックによって構成すればよい。又は、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１０７】
すなわちテレビジョン受像機１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、及び、上記プログラム及び各種データを格納するメモリ等の記憶装置（記録媒体）を備えている。この構成により、本発明の目的は、所定の記録媒体によっても、達成できる。
【０１０８】
この記録媒体は、上述した機能を実現するソフトウェアであるテレビジョン受像機１０のプログラムのプログラムコード（実行形式プログラム、中間コードプログラム、ソースプログラム）をコンピュータで読み取り可能に記録していればよい。テレビジョン受像機１０に、この記録媒体を供給する。これにより、コンピュータとしてのテレビジョン受像機１０（又はＣＰＵやＭＰＵ）が、供給された記録媒体に記録されているプログラムコードを読み出し、実行すればよい。
【０１０９】
プログラムコードをテレビジョン受像機１０に供給する記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１１０】
また、テレビジョン受像機１０を通信ネットワークと接続可能に構成しても、本発明の目的を達成できる。この場合、上記のプログラムコードを、通信ネットワークを介してテレビジョン受像機１０に供給する。この通信ネットワークはテレビジョン受像機１０にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１１１】
この通信ネットワークを構成する伝送媒体も、プログラムコードを伝送可能な任意の媒体であればよく、特定の構成又は種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０１１２】
本発明は、テレビジョン受像機等の表示装置として好適に利用することができる。
【符号の説明】
【０１１３】
１０    テレビジョン受像機（表示装置）
１００  画質制御部
１１１  表示部
１１２  画質調整部
１１３  記憶部
１１４  統計値取得部（統計値取得手段）
１１５  調整指示部（調整指示手段）
１１６  登録部（登録手段）
１１７  ジャンル取得部（ジャンル取得手段）
【図１】
2011166315.tif 000003
【図２】
2011166315.tif 000004
【図３】
2011166315.tif 000005
【図４】
2011166315.tif 000006
【図５】
2011166315.tif 000007
【図６】
2011166315.tif 000008
【図７】
2011166315.tif 000009
【図８】
2011166315.tif 000010
【図９】
2011166315.tif 000011
【図１０】
2011166315.tif 000012
【図１１】
2011166315.tif 000013
【図１２】
2011166315.tif 000014
【図１３】
2011166315.tif 000015
【図１４】
2011166315.tif 000016
【図１５】
2011166315.tif 000017